(57)【要約】【課題】クロストーク特性を改善したコモンモードチョークコイルアレイを提供する。【解決手段】コモンモードチョークコイルアレイ１は、第１磁性体基板２と、積層構造体３と、第２磁性体基板４と、第１〜８外部電極５Ａ〜５Ｈとを備えている。第２外部電極５Ｂと第３外部電極５Ｃとの間の距離ｄ１は、第１外部電極５Ａと第２外部電極５Ｂとの間の距離ｄ２、及び第３外部電極５Ｃと第４外部電極５Ｄとの間の距離ｄ３よりも大きくなるように、各外部電極が形成されている。また、第１〜第４外部電極５Ａ〜５Ｄにそれぞれ対向する第５〜第８外部電極５Ｅ〜５Ｈも同様の関係を有するように形成されている。【選択図】図１
2006286886.tif 000002
【特許請求の範囲】
【請求項１】
複数のシート状の絶縁層と、複数のコイルとを交互に積層した積層構造体と、
前記積層構造体の一方の側面において前記積層構造体の積層方向に沿って延びるように形成された第１、第２、第３、第４端子電極と、前記積層構造体の前記一方の側面と反対側の他方の側面において前記積層方向に沿って延びるように形成された第５、第６、第７第８端子電極と、を備え、
前記複数のコイルは、少なくとも第１コイル部と、前記第１コイルと一枚の前記絶縁層を挟んで隣り合う第２コイル部と、を有し、
前記第１コイル部は、第１−１端部と第１−２端部とを有する第１コイルパターン部と、第２−１端部と第２−２端部とを有する第２コイルパターン部と、を有し、
前記第２コイル部は、第３−１端部と第３−２端部とを有し、前記第１コイルパターン部と磁気結合可能な第３コイルパターン部と、第４−１端部と第４−２端部とを有し、前記第２コイルパターン部と磁気結合可能な第４コイルパターン部と、を有し、
前記第１、第２、第３、第４端子電極は、この順に前記積層方向と直交する方向に並んで形成され、前記第５、第６、第７、第８端子電極は、この順に前記積層方向と直交する方向に並んで形成され、
前記第１−１端部は、前記第１端子電極と電気的に接続され、前記第１−２端部は、前記第５端子電極と電気的に接続され、前記第２−１端部は、前記第３端子電極と電気的に接続され、前記第２−２端部は、前記第７端子電極と電気的に接続され、前記第３−１端部は、前記第２端子電極と電気的に接続され、前記第３−２端部は、前記第６端子電極と電気的に接続され、前記第４−１端部は、前記第４端子電極と電気的に接続され、前記第４−２端部は、前記第８端子電極と電気的に接続されたコモンモードチョークコイルであって、
前記第２端子電極と前記第３端子電極との間の距離は、前記第１端子電極と前記第２端子電極との間の距離及び前記第３端子電極と前記第４端子電極との間の距離よりも大きく、
前記第６端子電極と前記第７端子電極との間の距離は、前記第５端子電極と前記第６端子電極との間の距離及び前記第７端子電極と前記第８端子電極との間の距離よりも大きいことを特徴とするコモンモードチョークコイルアレイ。
【発明の詳細な説明】
【技術分野】
【０００１】
本発明は、コモンモードチョークコイルを複数有するコモンモードチョークコイルアレイに関する。
【背景技術】
【０００２】
従来から様々なコモンモードチョークコイルアレイの構造が提案されている。例えば、互いに磁気結合可能な第１コイルパターン部及び第２コイルパターンと、互いに磁気結合可能な第３コイルパターン部及び第４コイルパターンとが、それぞれ一対の関係にある２組のコモンモードチョークコイルを有するものがある。そして、コモンモードチョークコイルアレイの側面には、各コイルパターンの両端とそれぞれ電気的に接続される８つ外部電極が形成されている（例えば、特許文献１参照）。
【０００３】
【特許文献１】特開２００３−２１７９３２号公報
【発明の開示】
【発明が解決しようとする課題】
【０００４】
しかし、上記のコモンモードチョークコイルアレイでは、互いに隣接配置された外部電極間の距離の最適化が行なわれておらず、一方のコモンモードチョークコイルに接続された外部電極と、これに隣接する他方のコモンモードチョークコイルに接続された外部電極との間で、クロストークが発生することがあった。
【０００５】
そこで、本発明は、クロストーク特性を改善したコモンモードチョークコイルアレイを提供することを目的とする。
【課題を解決するための手段】
【０００６】
上記目的を達成するために本発明は、複数のシート状の絶縁層と、複数のコイルとを交互に積層した積層構造体と、積層構造体の一方の側面において積層構造体の積層方向に沿って延びるように形成された第１、第２、第３、第４端子電極と、積層構造体の一方の側面と反対側の他方の側面において積層方向に沿って延びるように形成された第５、第６、第７第８端子電極とを備えたコモンモードチョークコイルアレイを提供している。
【０００７】
ここで複数のコイルは、少なくとも第１コイル部と、第１コイルと一枚の絶縁層を挟んで隣り合う第２コイル部とを有している。第１コイル部は、第１−１端部と第１−２端部とを有する第１コイルパターン部と、第２−１端部と第２−２端部とを有する第２コイルパターン部とを有している。第２コイル部は、第３−１端部と第３−２端部とを有し、第１コイルパターン部と磁気結合可能な第３コイルパターン部と、第４−１端部と第４−２端部とを有し、第２コイルパターン部と磁気結合可能な第４コイルパターン部とを有している。
【０００８】
また、第１、第２、第３、第４端子電極は、この順に積層方向と直交する方向に並んで形成され、第５、第６、第７、第８端子電極は、この順に積層方向と直交する方向に並んで形成されている。第１−１端部は、第１端子電極と電気的に接続されている。第１−２端部は、第５端子電極と電気的に接続されている。第２−１端部は、第３端子電極と電気的に接続されている。第２−２端部は、第７端子電極と電気的に接続されている。第３−１端部は、第２端子電極と電気的に接続されている。第３−２端部は、第６端子電極と電気的に接続されている。第４−１端部は、第４端子電極と電気的に接続されている。第４−２端部は、第８端子電極と電気的に接続されている。
【０００９】
第２端子電極と第３端子電極との間の距離は、第１端子電極と第２端子電極との間の距離及び第３端子電極と第４端子電極との間の距離よりも大きく、第６端子電極と第７端子電極との間の距離は、第５端子電極と第６端子電極との間の距離及び第７端子電極と第８端子電極との間の距離よりも大きく構成されている。
【００１０】
かかる構成によれば、第２端子電極と第３端子電極との間に寄生する静電容量を小さくすることができ、また磁気的な結合を弱めることができる。よって、第２端子電極と第３端子電極との間におけるクロストークを軽減することができる。従って、コモンモードチョークコイルアレイのＥＭＩを低減することができ、信号品質を向上させることができる。また、第６端子電極と第７端子電極との間の関係においても同様である。
【発明の効果】
【００１１】
本発明のコモンモードチョークコイルアレイによれば、クロストーク特性を改善することができる 。
【発明を実施するための最良の形態】
【００１２】
本発明の実施の形態によるコモンモードチョークコイルアレイについて図１及び図２に基づき説明する。図１は、コモンモードチョークコイルアレイ１の斜視図、図２はコモンモードチョークコイルアレイ１の分解斜視図である。本実施の形態によるコモンモードチョークコイルアレイ１は、第１磁性体基板２と、積層構造体３と、第２磁性体基板４と、第１〜８外部電極５Ａ〜５Ｈとを備えている。
【００１３】
第１磁性体基板２は、板状をなし、焼結フェライト又は複合フェライト（粉状のフェライトを含有した樹脂）等の磁性材料から構成されている。第１磁性体基板２の一方の主面側には、積層構造体３が配置されている。積層構造体３は、複数の層が薄膜成形技術により積層形成された直方体状をなしている。積層構造体３は、第１絶縁層１０と、第１コイル層２０と、第２絶縁層３０と、第２コイル層４０と、第３絶縁層５０と、第３コイル層６０と、第４絶縁層７０と、第４コイル層８０と、第５絶縁層９０と、第１磁性体１００と、第２磁性体１１０とを備えている。
【００１４】
第１絶縁層１０は、略長方形のシート状であり、第１磁性体基板２の一方の主面側に配置され、ポリイミド樹脂、エポキシ樹脂等の電気的及び磁気的な絶縁性に優れ、加工性のよい樹脂材料から構成されている。第１絶縁層１０は、第１磁性体基板２の一方の主面上の凹凸を緩和している。
【００１５】
第１コイル層２０は、第１絶縁層１０上に形成されている。第１コイル層２０は、第１引出し電極２１と第２引出し電極２２とを有している。第１引出し電極２１は、第１絶縁層１０の長手方向を規定する一方の辺の一端側に配置されている。第２引出し電極２２は、第１引出し電極２１が配置された一方の辺の他端側に配置されている。第１引出し電極２１は、第１−１引出し端部２１Ａ及び第１−２引出し端部２１Ｂを有し、第２引出し電極２２は、第２−１引出し端部２２Ａ及び第２−２引出し端部２２Ｂを有している。第１−１引出し端部２１Ａは、第１絶縁層１０の内方に位置し、第１−２引出し端部２１Ｂは、第１絶縁層１０の一方の辺まで引出されている。第２−１引出し端部２２Ａは、第１絶縁層１０の内方に位置し、第２−２引出し端部２２Ｂは、第１絶縁層１０の一方の辺まで引出されている。
【００１６】
第１コイル層２０は、更に、第１−１〜６電極部２３〜２８を有している。第１−１電極部２３は、第１引出し電極２１に隣接し、かつ積層構造体３の側面に露出するように配置されている。第１−２電極部２４は、第２引出し電極２２に隣接し、かつ積層構造体３の側面に露出するように配置されている。第１−３〜６電極部２５〜２８は、第１絶縁層１０の長手方向を規定する他方の辺側において、第１引出し電極２１、第１−１電極部２３、第１−２電極部２４、及び第２引出し電極２２とそれぞれ対向する位置に積層構造体３の側面に露出するように配置されている。
【００１７】
第２絶縁層３０は、第１コイル層２０の反第１絶縁層１０側に配置され、第１絶縁層１０と略同形状をなし、ポリイミド樹脂、エポキシ樹脂等の電気的及び磁気的な絶縁性に優れ、加工性のよい樹脂材料から構成されている。第２絶縁層３０の第１−２引出し端部２１Ｂ、第１−１電極部２３、第１−３電極部２５、及び第１−４電極部２６の略中間位置に対向する部分には、第１孔３０ａが形成されている。第２絶縁層３０の第１−２電極部２４、第２−２引出し端部２２Ｂ、第１−５電極部２７、及び第１−６電極部２８の略中間位置に対向する部分には、第２孔３０ｂが形成されている。
【００１８】
また、第２絶縁層３０の第１−１引出し端部２１Ａと対向する部分には、第１接続孔３０ｃが形成され、第２−１引出し端部２２Ａと対向する部分には、第２接続孔３０ｄが形成されている、更に、第２絶縁層３０の短手方向を規定する一方の辺には、第１切欠き３０ｅが形成され、他方の辺には、第２切欠き３０ｆが形成されている。
【００１９】
第２コイル層４０は、第２絶縁層３０上に形成されている。第２コイル層４０は、第１コイル部４１を有している。第１コイル部４１は、第１−１コイル端部４２Ａと第１−２コイル端部４２Ｂとを有する第１コイルパターン部４２と、第２−１コイル端部４３Ａと第２−２コイル端部４３Ｂとを有する第２コイルパターン部４３とを有している。第１−１コイル端部４２Ａは、第１−１引出し端部２１Ａと対向する位置に配置され、かつ第１接続孔３０ｃにおいて第１−１引出し端部２１Ａと接続されている。第１−２コイル端部４２Ｂは、第１−３電極部２５と対向する付近に位置している。そして、第１コイルパターン部４２の第１コイルパターンは、第１−１コイル端部４２Ａと第１−２コイル端部４２Ｂとの間において、第１孔３０ａの周囲を囲むように渦巻状をなしている。
【００２０】
第２−１コイル端部４３Ａは、第２−１引出し端部２２Ａと対向する位置に配置され、かつ第２接続孔３０ｄにおいて第２−１引出し端部２２Ａと接続されている。第２−２コイル端部４３Ｂは、第１−６電極部２８と対向する付近に位置している。そして、第２コイルパターン部４３の第２コイルパターンは、第２−１コイル端部４３Ａと第２−２コイル端部４３Ｂとの間において、第２孔３０ｂの周囲を囲むように渦巻状をなしている。
【００２１】
また、第２コイル層４０は、第３引出し電極４４と第４引出し電極４５とを有している。第３引出し電極４４は、第１−３電極部２５に対向配置されており、第１−２コイル端部４２Ｂと接続されている。第４引出し電極４５は、第１−６電極部２８に対向配置されており、第２−２コイル端部４３Ｂと接続されている。更に、第２コイル層４０は、第２−１〜６電極部４６Ａ〜４６Ｆを有している。第２−１電極部４６Ａは第１−２引出し端部２１Ｂに、第２−２電極部４６Ｂは第１−１電極部２３に、第２−３電極部４６Ｃは第１−２電極部２４に、第２−４電極部４６Ｄは第２−２引出し端部２２Ｂに、第２−５電極部４６Ｅは第１−４電極部２６に、第２−６電極部４６Ｆは第１−５電極部２７にそれぞれ対向配置されている。
【００２２】
第３絶縁層５０は、第２コイル層４０の反第２絶縁層３０側に配置され、第１絶縁層１０と同様にポリイミド樹脂、エポキシ樹脂等の電気的及び磁気的な絶縁性に優れ、加工性のよい樹脂材料から構成されている。また、第３絶縁層５０は、第２絶縁層３０と略同形状をなしている。よって、第３絶縁層５０には、第１孔３０ａに相当する第３孔５０ａ、第２孔３０ｂに相当する第４孔５０ｂ、第１切欠き３０ｅに相当する第３切欠き５０ｃ、第２切欠き３０ｆに相当する第４切欠き５０ｄがそれぞれ形成されている。そして、第３絶縁層５０は、第３孔５０ａ、第４孔５０ｂ、第３切欠き５０ｃ及び第４切欠き５０ｄが、それぞれ第１孔３０ａ、第２孔３０ｂ、第１切欠き３０ｅ及び第２切欠き３０ｆと対向するように配置されている。
【００２３】
第３コイル層６０は、第３絶縁層５０上に形成されている。第３コイル層６０は、第１コイル部４１と略同形状をなす第２コイル部６１を有している。第２コイル部６１は、第１コイルパターン部４２に相当し、これに対向配置された第３コイルパターン部６２と、第２コイルパターン部４３に相当し、これに対向配置された第４コイルパターン部６３とを有している。第１コイルパターン部４２と第３コイルパターン部６２とは、互いに対向配置されているので、いずれか一方のコイルに電流が流れて磁束が発生すると、その磁束はもう一方のコイルに入る。よって、第１コイルパターン部４２と第３コイルパターン部６２とは、互いに磁気結合可能に配列されている。第２コイルパターン部４３と第４コイルパターン部６３とにおいても、同様に対向配置されているので、それらは互いに磁気結合可能に配列されている。このように、本実施の形態のコモンモードチョークコイルアレイ１は、第１コイルパターン部４２及び第３コイルパターン部６２と、第２コイルパターン部４３及び第４コイルパターン部６３とが、それぞれ一対の関係にある２組のコモンモードチョークコイルを有している。
【００２４】
第３コイルパターン部６２は、第１コイルパターン部４２と同様に第３−１コイル端部６２Ａと第３−２コイル端部６２Ｂとを有している。第３−１コイル端部６２Ａは、第１−１コイル端部４２Ａよりも、第３絶縁層５０の内方に位置している。第３−２コイル端部６２Ｂは、第１−２コイル端部４２Ｂよりも第２−５電極部４６Ｅに近接する位置に対向配置されている。
【００２５】
第４コイルパターン部６３は、第２コイルパターン部４３と同様に第４−１コイル端部６３Ａと第４−２コイル端部６３Ｂとを有している。第４−１コイル端部６３Ａは、第２−１コイル端部４３Ａよりも、第３絶縁層５０の内方に位置している。第４−２コイル端部６３Ｂは、第２−２コイル端部６２Ｂよりも第２−６電極部４６Ｆに近接する位置に対向配置されている。また、第３コイル層６０は、第５引出し電極６４と第６引出し電極６５とを有している。第５引出し電極６４は、第２−５電極部４６Ｅに対向配置されており、第３−２コイル端部６２Ｂと接続されている。第６引出し電極６５は、第２−６電極部４６Ｆと対向配置されており、第４−２コイル端部６３Ｂと接続されている。
【００２６】
更に、第３コイル層６０は、第３−１〜６電極部６６Ａ〜６６Ｆを有している。第３−１電極部６６Ａは第２−１電極部４６Ａに、第３−２電極部６６Ｂは第２−２電極部４６Ｂに、第３−３電極部６６Ｃは第２−３電極部４６Ｃに、第３−４電極部６６Ｄは第２−４電極部４６Ｄに、第３−５電極部６６Ｅは第２−５電極部４６Ｅに、第３−６電極部６６Ｆは第２−６電極部４６Ｆにそれぞれ対向配置されている。
【００２７】
第４絶縁層７０は、第３コイル層６０の反第３絶縁層５０側に配置され、第１絶縁層１０と同様にポリイミド樹脂、エポキシ樹脂等の電気的及び磁気的な絶縁性に優れ、加工性のよい樹脂材料から構成されている。また、第４絶縁層７０は、第３絶縁層５０と略同形状をなしている。よって、第４絶縁層７０には、第３孔５０ａに相当する第５孔７０ａ、第４孔５０ｂに相当する第６孔７０ｂ、第３切欠き５０ｃに相当する第５切欠き７０ｃ、第４切欠き５０ｄに相当する第６切欠き７０ｄがそれぞれ形成されている。
【００２８】
そして、第４絶縁層７０は、第５孔７０ａ、第６孔７０ｂ、第５切欠き７０ｃ及び第６切欠き７０ｄが、それぞれ第３孔５０ａ、第４孔５０ｂ、第３切欠き５０ｃ及び第４切欠き５０ｄと対向するように配置されている。更に、第４絶縁層７０には、第３−１コイル端部６２Ａと対向する位置に、第３接続孔７０ｅが形成され、第４−１コイル端部６３Ａと対向する位置に、第４接続孔７０ｆが形成されている。
【００２９】
第４コイル層８０は、第４絶縁層７０上に形成されている。第４コイル層８０は、第７引出し電極８１と第８引出し電極８２とを有している。第７引出し電極８１は、その一部が第３−２電極部６６Ｂに対向する位置に配置されている。第８引出し電極８２は、その一部が第３−３電極部６６Ｃに対向する位置に配置されている。第７引出し電極８１は、第７−１引出し端部８１Ａ及び第７−２引出し端部８１Ｂを有し、第８引出し電極８２は、第８−１引出し端部８２Ａ及び第８−２引出し端部８２Ｂを有している。
【００３０】
第７−１引出し端部８１Ａは、第３−１コイル端部６２Ａに対向する位置に配置され、かつ第３接続孔７０ｅにおいて第３−１コイル端部６２Ａと接続されている。第７−２引出し端部８１Ｂは、第３−２電極部６６Ｂに対向する位置に配置されている。第８−１引出し端部８２Ａは、第４−１コイル端部６３Ａに対向する位置に配置され、かつ第４接続孔７０ｆにおいて第４−１コイル端部６３Ａと接続されている。第４−２コイル端部６３Ｂは、第３−３電極部６６Ｃと対向する位置に配置されている。
【００３１】
第４コイル層８０は、更に、第４−１〜６電極部８３〜８８を有している。第４−１電極部８３は第３−１電極部６６Ａに、第４−２電極部８４は第３−４電極部６６Ｄに、第４−３電極部８５は第３−５電極部６６Ｅに、第４−４電極部８６は第５引出し電極６４に、第４−５電極部８７は第６引出し電極６５に、第４−６電極部８８は第３−６電極部６６Ｆにそれぞれ対向配置されている。
【００３２】
第５絶縁層９０は、第４コイル層８０の反第４絶縁層７０側に配置され、第１絶縁層１０と同様にポリイミド樹脂、エポキシ樹脂等の電気的及び磁気的な絶縁性に優れ、加工性のよい樹脂材料から構成されている。また、第５絶縁層９０は、第４絶縁層７０と略同形状をなしている。よって、第５絶縁層９０には、第５孔７０ａに相当する第７孔９０ａ、第６孔７０ｂに相当する第８孔９０ｂ、第５切欠き７０ｃに相当する第７切欠き９０ｃ、第６切欠き７０ｄに相当する第８切欠き９０ｄがそれぞれ形成されている。そして、第５絶縁層９０は、第７孔９０ａ、第８孔９０ｂ、第７切欠き９０ｃ及び第８切欠き９０ｄが、それぞれ第５孔７０ａ、第６孔７０ｂ、第５切欠き７０ｃ及び第６切欠き７０ｄと対向するように配置されている。
【００３３】
第１磁性体１００は、第１磁性部１０１、第２磁性部１０２、第３磁性部１０３、及び第４磁性部１０４を有し、それぞれはフェライト含有樹脂により構成されている。第１磁性部１０１は、第１切欠き３０ｅ、第３切欠き５０ｃ、第５切欠き７０ｃ及び第７切欠き９０ｃ内に充填されている。第２磁性部１０２は、第１孔３０ａ、第３孔５０ａ、第５孔７０ａ及び第７孔９０ａ内に充填されている。第３磁性部１０３は、第２孔３０ｂ、第４孔５０ｂ、第６孔７０ｂ及び第８孔９０ｂ内に充填されている。第４磁性部１０４は、第２切欠き３０ｆ、第４切欠き５０ｄ、第６切欠き７０ｄ及び第８切欠き９０ｄ内に充填されている。
【００３４】
第２磁性体１１０は、第５絶縁層９０の反第４コイル層８０側に配置されている。第２磁性体１１０は、フライト含有樹脂により構成され、長方形のシート状をなし、第５絶縁層９０を覆っている。第２磁性体基板４は、第２磁性体１１０の反第５絶縁層９０側に配置され、板状をなし、焼結フェライト又は複合フェライト（粉状のフェライトを含有した樹脂）等の磁性材料から構成されている。
【００３５】
第１〜第４外部電極５Ａ〜５Ｄは、積層された第１磁性体基板２、積層構造体３、及び第２磁性体基板４を構成する三つの外面に跨って、かつ積層方向に沿って延びるように形成されている。第１外部電極５Ａは、第１−２引出し端部２１Ｂ、第２−１電極部４６Ａ、第３−１電極部６６Ａ及び第４−１電極部８３と接続されている。よって、第１コイルパターン部４２と第１外部電極５Ａとは、第１引出し電極２１を介して電気的に接続される。また、第２外部電極５Ｂは、第１−１電極部２３、第２−２電極部４６Ｂ、第３−２電極部６６Ｂ及び第７−２引出し端部８１Ｂと接続されている。よって第３コイルパターン部６２と、第２外部電極５Ｂとは、第７引出し電極８１を介して電気的に接続される。
【００３６】
また、第３外部電極５Ｃは、第１−２電極部２４、第２−３電極部４６Ｃ、第３−３電極部６６Ｃ及び第８−２引出し端部８２Ｂと接続されている。よって、第４コイルパターン部６３と、第３外部電極５Ｃとは、第８引出し電極８２を介して電気的に接続されている。第４外部電極５Ｄは、第２−２引出し端部２２Ｂ、第２−４電極部４６Ｄ、第３−４電極部６６Ｄ及び第４−２電極部８４と接続されている。よって、第２コイルパターン部４３と第４外部電極５Ｄとは、第２引出し電極２２を介して電気的に接続されている。
【００３７】
第５〜第８外部電極５Ｅ〜５Ｈは、第１〜第４外部電極５Ａ〜５Ｄと対向する位置において、積層された第１磁性体基板２、積層構造体３、及び第２磁性体基板４を構成する三つの外面に跨って、かつ積層方向に沿って延びるように形成されている。第５外部電極５Ｅは、第１−３電極部２５、第３引出し電極４４、第３−５電極部６６Ｅ及び第４−３電極部８５と接続されている。よって、第１コイルパターン部４２と第５外部電極５Ｅは、第３引出し電極４４を介して電気的に接続されている。第６外部電極５Ｆは、第１−４電極部２６、第２−５電極部４６Ｅ、第５引出し電極６４及び第４−４電極部８６と接続されている。よって、第３コイルパターン部６２と第６外部電極５Ｆは、第５引出し電極６４を介して電気的に接続されている。
【００３８】
また、第７外部電極５Ｇは、第１−５電極部２７、第２−６電極部４６Ｆ、第６引出し電極６５及び第４−５電極部８７と接続されている。よって、第４コイルパターン部６３と第７外部電極５Ｇとは、第６引出し電極６５を介して電気的に接続されている。第８外部電極５Ｈは、第１−６電極部２８、第４引出し電極４５、第３−５電極部６６Ｅ及び第４−６電極部８８と接続されている。よって、第２コイルパターン部４３と第８外部電極５Ｈとは、第４引出し電極４５を介して電気的に接続されている。
【００３９】
そして、図１に示す第２外部電極５Ｂと第３外部電極５Ｃとの間の距離ｄ１は、第１外部電極５Ａと第２外部電極５Ｂとの間の距離ｄ２、及び第３外部電極５Ｃと第４外部電極５Ｄとの間の距離ｄ３よりも大きくなるように、各外部電極が形成されている。また、第１〜第４外部電極５Ａ〜５Ｄにそれぞれ対向する第５〜第８外部電極５Ｅ〜５Ｈも同様の関係を有するように形成されている。
【００４０】
上述のように本実施の形態のコモンモードチョークコイルアレイ１は、２つの隣り合うコモンモードチョークコイルを有し、差動伝送方式を用いた信号伝送回路において利用される。第１コイルパターン部４２と第３コイルパターン部６２に組合せによるコモンモードチョークコイルの動作について説明する。例えば、第１、第２外部電極５Ａ、５Ｂは入力側に接続され、第５、６外部電極５Ｅ、５Ｆは出力側に接続されて用いられる。コモンモードチョークコイルは、信号に対しては、デイファレンシャルモードとして用いられる。デイファレンシャルモードでは、信号は、第１コイルパターン部４２及び第３コイルパターン部６２に互いに逆方向の信号として入力される。
【００４１】
そのため、第１コイルパターン部４２と第３コイルパターン部６２とに生じる磁束は互いに逆方向となる。そして、第１コイルパターン部４２の第１コイルパターンと第３コイルパターン部６２の第３コイルパターンとは、ほぼ同形状であり、互いに対向配置されているので、同程度の強さの磁束が生じ、互いに打ち消しあい、残存する磁束はほとんどなくなる。従って、第１コイルパターン部４２と第３コイルパターン部６２とが生成する磁界によって生じるインピーダンス（インダクタンス）がほとんどないので、信号は、ほとんど減衰することなく出力される。
【００４２】
一方、コモンモード信号に対しては、コモンモードチョークコイルは、コモンモードとして用いられる。コモンモードでは、コモンモード信号は、第１コイルパターン部４２及び第３コイルパターン部６２に互いに同方向に生じる。このコモンモード信号により、第１コイルパターン部４２と第３コイルパターン部６２とには、同方向に磁束が発生する。この磁束は、第２磁性部１０２、第２磁性体基板４、第１磁性部１０１及び第１磁性体基板２を通る閉磁路を形成する。
【００４３】
このため、第１コイルパターン部４２及び第３コイルパターン部６２が生み出す磁界によって生じるインピーダンス（インダクタンス）が高くなり、コモンモード信号は、ほとんど出力されない。このようにして、コモンモードチョークコイルは、ノイズのみを減衰させることができる。また、第２コイルパターン部４３と第４コイルパターン部６３との組合せにかかるコモンモードチョークコイルにおいても同様に動作する。
【００４４】
また、上述のように距離ｄ１を、距離ｄ２、及び距離ｄ３よりも大きくなるように、各外部電極が形成しているので、第２外部電極５Ｂと第３外部電極５Ｃとの間に寄生する静電容量を小さくすることができ、また磁気的な結合を弱めることができる。更に、第１外部電極５Ａと第２外部電極５Ｂとの間の磁気結合、及び第３外部電極５Ｃと第４外部電極５Ｄとの間の磁気結合を強めることができる。よって、第２外部電極５Ｂと第３外部電極５Ｃとの間におけるクロストークを軽減することができる。従って、コモンモードチョークコイルアレイ１のＥＭＩを低減することができ、信号品質を向上させることができる。また、第６外部電極５Ｆと第７外部電極５Ｇとの間の関係においても同様である。
【００４５】
尚、本発明のコモンモードチョークコイルアレイ１は、上述した実施の形態に限定されず、特許請求の範囲に記載した範囲で種々の変形や改良が可能である。例えば、コモンモードチョークコイルアレイ１は、第１コイルパターン部４２及び第３コイルパターン部６２と、第２コイルパターン部４３及び第４コイルパターン部６３とが、それぞれ一対の関係にある２組のコモンモードチョークコイルを備えていたが、これに限られず２組以上であってもよい。
【００４６】
また、第５〜第８外部電極５Ｅ〜５Ｈのそれぞれの間の距離は、第１〜第４外部電極５Ａ〜５Ｄと同様の関係を有するように形成されていたが、これに限られない。第６外部電極５Ｆと第７外部電極５Ｇと間の距離が、第５外部電極５Ｅと第６外部電極５Ｆとの間の距離、及び第７外部電極５Ｇと第８外部電極５Ｈとの間の距離よりも大きくなるように形成されていれば良い。
【図面の簡単な説明】
【００４７】
【図１】本発明の実施の形態におけるコモンモードチョークコイルアレイの斜視図。
【図２】本発明の実施の形態におけるコモンモードチョークコイルアレイの分解斜視図。
【符号の説明】
【００４８】
１    コモンモードチョークコイルアレイ
２    第１磁性体基板
３    積層構造体
４    第２磁性体基板
１０  第１絶縁層
２０  第１コイル層
３０  第２絶縁層
４０  第２コイル層
４１  第１コイル部
４２  第１コイルパターン部
４２Ａ  第１−１コイル端部
４２Ｂ  第１−２コイル端部
４３  第２コイルパターン部
４３Ａ  第２−１コイル端部
４３Ｂ  第２−２コイル端部
５０  第３絶縁層
６０  第３コイル層
６１  第２コイル部
６２  第３コイルパターン部
６２Ａ  第３−１コイル端部
６２Ｂ  第３−２コイル端部
６３  第４コイルパターン部
６３Ａ  第４−１コイル端部
６３Ｂ  第４−２コイル端部
７０  第４絶縁層
８０  第４コイル層
９０  第５絶縁層
ｄ１、ｄ２、ｄ３  距離
【図１】
2006286886.tif 000003
【図２】
2006286886.tif 000004